(57)【特許請求の範囲】
【請求項１】
カテーテル上の電極に選択的にエネルギーを供給するためのシステムにおいて、
カテーテル本体および複数の径方向電極を有する先端部分を有するカテーテルと、
戻り電極と、
インピーダンス試験信号を生成する信号生成器と、
前記信号生成器と特定の径方向電極との間の電気的な接続を継続的に変更する第１のモード、および、第２のモードで作動するように構成されたマルチプレクサーと、
前記マルチプレクサーが前記第１のモードで作動するとき、それぞれの径方向電極と前記戻り電極との間の電圧を測定することにより、組織との接触を示す各径方向電極のインピーダンス測定値を生成するように構成されたインピーダンス測定回路と、
前記マルチプレクサーが前記第１のモードまたは前記第２のモードで作動するように、前記マルチプレクサーにコマンドを出すように構成されたマイクロコントローラと、
アブレーションエネルギー源と、
を含み、
前記第２のモードにおいて、前記マルチプレクサーが、前記信号生成器を、選択された、最大のインピーダンス測定値を持つ径方向電極に接続し、
前記先端部分は、先端部電極をも有し、
前記アブレーションエネルギー源が、前記先端部電極にエネルギーを供給するように構成されて、そのアブレーション電流を、前記選択された径方向電極に流すことができるようになっている、
を含む、システム。
【請求項２】
請求項１に記載のシステムにおいて、
選択されていない径方向電極を除いた、前記選択された径方向電極にアブレーションエネルギーを供給するように、更に構成されたアブレーション電源、
をさらに含む、システム。
【請求項３】
請求項１に記載のシステムにおいて、
前記マイクロコントローラは、前記選択された径方向電極を識別するように構成されている、システム。
【請求項４】
請求項１に記載のシステムにおいて、
前記マイクロコントローラは、前記インピーダンス測定値に基づいて、前記選択された径方向電極を識別するようにさらに構成されている、システム。
【請求項５】
請求項１に記載のシステムにおいて、
各前記径方向電極は、前記先端部電極と共に、特定の概ね連続した細長い組織接触面を形成するように構成されている、システム。
【請求項６】
請求項１に記載のシステムにおいて、
前記複数の径方向電極は、４個である、システム。
【請求項７】
請求項１に記載のシステムにおいて、
複数の前記径方向電極は、概ね等しい大きさである、システム。
【請求項８】
請求項１に記載のシステムにおいて、
前記径方向電極は、前記先端部分の周りに概ね同じ角度で設けられている、システム。
【請求項９】
請求項１に記載のシステムにおいて、
前記インピーダンス測定値を記憶するメモリ、
をさらに含む、システム。
【請求項１０】
請求項１に記載のシステムにおいて、
前記インピーダンス測定回路は、差動増幅器および同期検出器を含む、システム。
【請求項１１】
請求項１０に記載のシステムにおいて、
前記インピーダンス測定回路は、増幅器をさらに含む、システム。
【請求項１２】
請求項９に記載のシステムにおいて、
前記メモリは、新しいインピーダンス測定値で継続的にリフレッシュされる、システム。
【請求項１３】
請求項１に記載のシステムにおいて、
前記インピーダンス試験信号は、約１０ｋＨｚ〜約１００ｋＨｚの範囲の周波数の交流電流を含む、システム。
【請求項１４】
請求項１に記載のシステムにおいて、
前記インピーダンス試験信号は、約５０ｋＨｚの周波数の交流電流を含む、システム。
【請求項１５】
請求項１に記載のシステムにおいて、
前記径方向電極は、前記先端部電極のすぐ近位側に位置する、システム。
【請求項１６】
請求項１に記載のシステムにおいて、
前記カテーテルは、前記先端部分で潅流を行えるように構成されている、システム。
【請求項１７】
請求項１に記載のシステムにおいて、
前記カテーテルは、前記先端部分に電磁位置センサを有する、システム。
【請求項１８】
請求項１に記載のシステムにおいて、
前記カテーテルは、前記径方向電極の近位側に少なくとも１つのリング電極を有する、システム。
【請求項１９】
請求項１に記載のシステムにおいて、
前記複数の径方向電極の個数は、約２個〜約８個の範囲である、システム。
【請求項２０】
アブレーションカテーテルにおいて、
外壁、近位端部、および遠位端部、を有するカテーテル本体であって、当該カテーテル本体の中を通る１つの中心内腔を有する、前記カテーテル本体と、
前記カテーテル本体の前記近位端部に設けられた制御ハンドルと、
近位端部および遠位端部を有する可撓性チューブのセグメントを含む先端部分であって、前記可撓性チューブは、当該可撓性チューブの中を通る少なくとも１つの内腔を有し、前記先端部分の近位端部が、前記カテーテル本体の前記遠位部分に固着されている、前記先端部分と、
前記先端部分の前記チューブの前記遠位端部に固着された先端部電極と、
前記先端部電極のすぐ近位側の前記チューブに固着された複数の径方向電極であって、これらの各径方向電極が、前記先端部電極と共に特定の概ね連続した組織接触面を形成するように構成されている、前記複数の径方向電極と、
を含み、
前記アブレーションエネルギー源が、前記先端部電極にエネルギー付与するように構成されて、そのアブレーション電流を、前記先端部電極と共に特定の概ね連続した組織接触面を形成した径方向電極に、流すことができるようになっている、
アブレーションカテーテル。
【発明の詳細な説明】
【開示の内容】
【０００１】
〔発明の分野〕
本発明は、心臓の電気診断および治療用のカテーテルに関し、詳細には、マッピングおよびアブレーション用のカテーテルに関する。
【０００２】
〔発明の背景〕
心室頻拍（ＶＴ）が最も一般的である心不整脈は、主な死因である。患者の大部分では、ＶＴは、心室の内面に近接した１ｍｍ〜２ｍｍの病変に起因する。あるＶＴの治療法では、心臓の電気経路をマッピングして病変の位置を求め、活性部位をアブレーションする。
【０００３】
参照して全ての開示内容を本明細書に組み入れる米国特許第５，５４６，９５１号、米国特許出願第０８／７９３，３７１号、および国際公開第ＷＯ９６／０５７６８号に、心臓内の正確な位置に応じて、局所活性時間などの心組織の電気特性を検出するための方法が開示されている。このようなデータは、遠位端部に電気センサおよび位置センサを備えた１または複数のカテーテルを心臓内に挿入して得られる。カテーテル先端部の正確な３次元位置は、カテーテルの位置センサによって確認できる。位置センサは、電磁界などの外部で生成される非イオン化フィールド内でのその位置センサの正確な位置に応じた信号を生成して作動する。位置情報の取得と同時に、電気情報も、カテーテルの遠位先端部に設けられた少なくとも１つの電極によって得られる。カテーテルに設けられたセンサによる位置情報および電気情報の正確な検出には、通常は、カテーテル電極が組織に接触しているという高い確度が必要である。
【０００４】
このようなデータに基づいた心臓の電気活性の地図の作成方法が、参照して全ての開示内容を本明細書に組み入れる、それぞれ１９９８年７月２４日出願の米国特許出願第０９／１２２，１３７号および１９９９年７月２２日出願の米国特許出願第０９／３５７，５５９号、および欧州特許出願第９７４，９３６号に開示されている。臨床環境では、心室の電気活性の詳細で包括的な地図を作成するために、心臓内の１００またはそれ以上の部位でデータを蓄積するのは一般的でない。上記した位置センサの使用は、心室の活性の詳細で正確な地図を作成するのに有用である。
【０００５】
ポジションセンサすなわち位置センサを含むカテーテルを用いて、心臓の表面における点の経路を決定することもできる。このような経路を用いて、組織の収縮性などの機械運動特性を推論することができる。参照して全ての開示内容を本明細書に組み入れる米国特許第５，７３８，０９６号に開示されているように、このような運動特性を示す地図は、局所電気情報を示す地図に重ね合わせることができ、心臓の十分な数の点で経路情報を収集して作成することができる。このような運動特性の正確な地図では、カテーテルの先端部が心組織に接触している状態でデータが取得されたという確信が必要である。
【０００６】
上記したように作成した詳細な地図は、例えば、心臓の電気活性の伝播を変更して正常な心リズムを回復させる組織アブレーションなどの治療行為の決定の基準として役立つであろう。心臓アブレーションでは、通常は無線周波数（ＲＦ）範囲のエネルギーを、遠位端部にアブレーション電極を有するカテーテルによって、心臓の内面の選択された点に供給する。アブレーションは、遠位先端部電極を異常な電気活性部位に接触させて、遠位先端部電極に接続された外部ＲＦ発生器から遠位先端部電極を介したＲＦエネルギーの供給を開始して行う。アブレーションは、遠位先端部電極が心壁に接触している場合に最も効率的となる。先端部電極と心壁が接触していない場合または接触が不十分な場合は、ＲＦエネルギーが血液中に散逸したり、先端部電極の故障の可能性と同時に血餅形成の可能性もある。したがって、電極と組織の接触を検出して接触を確実にする方法およびシステムによってマッピングとアブレーションの両方を行うことが重要である。
【０００７】
米国特許第５，９３５，０７９号、同第５，８９１，０９５号、同第５，８３６，９９０号、同第５，８３６，８７４号、同第５，６７３，７０４号、同第５，６６２，１０８号、同第５，４６９，８５７号、同第５，４４７，５２９号、同第５，３４１，８０７号、同第５，０７８，７１４号、およびカナダ特許出願第２，２８５，３４２号を含め、多数の文献に、電極と組織の接触を決定するための方法が報告されている。例えば、米国特許第５，９３５，０７９号、同第５，８３６，９９０号、同第５，４４７，５２９号、および同第６，５６９，１６０号などの多数の文献では、先端部電極と戻り電極との間のインピーダンスを測定して電極と組織の接触を決定している。参照して全ての開示内容を本明細書に組み入れる米国特許第６，５６９，１６０号に開示されているように、血液のインピーダンスは、組織のインピーダンスよりも通常は低いことが一般に知られている。したがって、組織との接触は、一連の電極の前後のインピーダンスを、電極が組織に接触している場合の予め測定したインピーダンス値、および電極が血液のみに接触している場合の予め測定したインピーダンス値と比較して検出される。
【０００８】
一般的なアブレーション電極の不都合な点は、外傷の大きさがアブレーション電極の向きによって決まるため、外傷の大きさの正確な予測が困難なことである。例えば、７フレンチ（約２．２２ｍｍ）のカテーテル（外径が２ｍｍを少し超える）は、その遠位端部に、約４ｍｍ〜約８ｍｍの長さのアブレーション先端部電極を備えている。アブレーション電極が、組織に対して垂直に配置されると、電極の比較的小さい表面積が組織に接触する。これとは対照的に、アブレーション電極が、組織に対して概ね平行に配置される、すなわちアブレーション電極が組織の側面に配置されると、比較的大きい表面積が組織に接触する。外傷の大きさは、組織と接触している表面積の大きさに関連する場合が多く、特に血液の方が組織よりも導電性が高いため、組織と全く接触していない電極部分を介して相当のエネルギーが喪失する。
【０００９】
さらに、先端部電極の過熱により、電極表面における炭化および／または血栓の形成を含め、合併症が起こりうる。炭化および血栓が生成されると、アブレーションの際またはアブレーションの後のカテーテルの抜き取りの際に、この炭化および血栓が電極から分離することがあり、危険である。
【００１０】
〔発明の概要〕
本発明は、インピーダンス測定値に基づいてカテーテル電極に選択的にエネルギーを供給して、改善されたアブレーション能力および改善されたエネルギー効率を提供するシステム、方法、およびカテーテルに関する。具体的には、本発明は、先端部電極と共に概ね連続的な組織接触面を形成するカテーテル径方向電極の選択的なエネルギー供給に関する。この選択は、各径方向電極の組織との接触の程度を示唆するインピーダンス測定値に基づいて行われる。
【００１１】
カテーテル上の電極に選択的にエネルギーを供給するためのシステムは、カテーテル本体と先端部電極および複数の径方向電極を有する先端部分とを有するカテーテル、および戻り電極を含む。このシステムは、インピーダンス試験信号を生成する信号生成器およびマルチプレクサーを含む。マルチプレクサーは、信号生成器と特定の径方向電極との間の電気的な接続を常に変更する第１のモード、および信号生成器を選択された径方向電極に接続する第２のモードで作動するように構成されている。システムは、インピーダンス測定回路をさらに含む。インピーダンス測定回路は、組織との接触を示唆する各径方向電極のインピーダンス測定値を生成するように構成されている。システムはまた、マルチプレクサーが第１のモードまたは第２のモードで作動するようにコマンドを出すように構成されているマイクロコントローラを含む。アブレーションエネルギー源も、先端部電極および選択された径方向電極にエネルギーを供給するために設けられている。
【００１２】
本発明の方法は、カテーテル本体と先端部電極およびこの先端部電極の近位側の複数の径方向電極を備えた先端部分とを含むカテーテルを用意するステップ、および戻り電極を用意するステップを含む。この方法は、インピーダンス試験信号を生成するように構成された信号生成器を用意するステップ、および信号生成器と特定の径方向電極との間の電気的な接続を変更するステップをさらに含む。この方法は、各径方向電極が組織との接触を示唆するインピーダンス試験信号を受け取っている時に、各径方向電極のインピーダンス測定値を得るステップ、およびインピーダンス測定値が最も高い径方向電極を特定するステップをさらに含む。この方法は、残りの径方向電極を除いて、インピーダンスの測定値が最も高い径方向電極と信号生成器との間の電気的な接続を維持するステップ、および選択されなかった径方向電極を除いて、インピーダンスが最も高い径方向電極にアブレーションエネルギーを供給するステップをさらに含む。
【００１３】
本発明のカテーテルは、外壁、近位端部、遠位端部、および内部を通る１つの中心内腔を有するカテーテル本体と、このカテーテル本体の近位端部における制御ハンドルとを含む。カテーテルはまた、近位端部および遠位端部を有する可撓性チューブのセグメントを備える先端部分を含み、この可撓性チューブセグメントは、内部を通る少なくとも１つの内腔を有し、この先端部分の近位端部が、カテーテル本体の遠位端部に固着され、先端部電極が、この先端部分のチューブの遠位端部に固着されている。さらに、複数の径方向電極が、先端部電極のすぐ近位側のチューブに固着されており、各径方向電極は、先端部電極と共に、特定の概ね連続的な組織接触面を形成するように構成されている。
【００１４】
〔詳細な説明〕
本発明の上記および他の特徴および利点は、添付の図面を参照しながら以下の詳細な説明を読めば、よりよく理解できるであろう。
【００１５】
本発明は、改善されたエネルギー効率でアブレーションするためのシステムおよび方法、ならびにこのようなシステムおよび方法に用いるカテーテルを提供する。本発明は、先端部電極と共に概ね連続的な組織接触面を形成するカテーテル径方向電極の選択的なエネルギー供給に関する。この選択は、各径方向電極の組織との接触の大きさを示唆するインピーダンスの測定値に基づいて決定される。
【００１６】
図１を参照すると、カテーテル１０は、近位端部および遠位端部を有する細長いカテーテル本体１２、このカテーテル本体の遠位端部における中間部分１４、カテーテル本体の近位端部における制御ハンドル１６、およびカテーテル本体の遠位端部における潅流先端部分２６を含む。この先端部分は、先端部電極２８、およびこの先端部電極のすぐ近位側の複数の径方向電極３７を有する。カテーテルの先端部分２６は、患者の体内のカテーテルの位置および向きを決定するために電磁位置センサ７２を備えることもできる。
【００１７】
図２および図２Ａを参照すると、カテーテル本体１２は、１つの軸方向すなわち中心内腔１８を備えた細長い管状構造を含む。カテーテル本体１２は、可撓性すなわち曲げることができるが、その長さに沿って実質的に非圧縮性である。カテーテル本体１２は、あらゆる適当な構造にすることができ、あらゆる適当な材料から形成することができる。現在好適な構造は、ポリウレタンまたはＰＥＢＡＸからなる外壁２０を含む。この外壁２０は、制御ハンドル１６が回転する時にカテーテル１０の中間部分１４がこの回転に一致して回転するように、カテーテル本体１２の捩り剛性を高めるステンレス鋼などの埋込み編メッシュを含む。
【００１８】
カテーテル本体１２の外径は、それ程重要ではないが、好ましくは、約８フレンチ（直径が約２．５５ｍｍ）、より好ましくは７フレンチ（直径が約２．２２ｍｍ）以下である。同様に、外壁２０の厚みもそれ程重要ではないが、中心内腔１８が、少なくともプーラーワイヤ５０、リード線４０、４２、４４、第１の潅流チューブセグメント８８、およびセンサケーブル７４を受容できるように十分に薄い。所望に応じて、外壁２０の内面は、改善された捩じり剛性が得られるように強化チューブ２２で裏打ちされる。強化チューブ２２の近位端部は、接着接合部１５によって外壁に固定されている。強化チューブ２２の遠位端部は、接着接合部１７によって外壁に固定されている。特に好適なカテーテルは、外径が約０．０９０インチ〜約０．０９４インチ（約２．２８６ｍｍ〜約２．３８８ｍｍ）、内径が約０．０６１インチ〜約０．０６５インチ（約１．５４９ｍｍ〜約１．６５１ｍｍ）の外壁２０を有する。
【００１９】
図３Ａ〜図３Ｃに示されているように、カテーテル本体１２の遠位側の中間部分１４は、複数の内腔を備えたチューブ１９の短い部分を含む。第１の内腔３０は、電極リード線４０、４２、および４４を受容している。第２の内腔３２は、プーラーワイヤ５０を受容している。第３の内腔３４は、電磁位置センサ７２のセンサケーブル７４を受容している。第４の内腔３６は、第１の注入チューブセグメント８８に移送される流体の通過を可能にし、遠位端部が先端部電極２８内にある第２の注入チューブ８９の近位部分を受容している。チューブ１９は、好ましくはカテーテル本体１２よりも可撓性に優れた適当な非毒性材料から形成される。チューブ１９の現在好適な材料は、ブレードポリウレタン(braided polyurethane)、すなわち編ステンレス鋼などの埋込みメッシュを備えたポリウレタンである。各内腔の大きさは、それ程重要ではないが、リード線、プーラーワイヤ、センサケーブル、または任意の他の構成要素を受容するのに十分な大きさである。
【００２０】
カテーテルの有効長さ、すなわち体内に挿入できる部分は、所望に応じて様々にすることができる。好ましくは、有効長さの範囲は、約１１０ｃｍ〜約１２０ｃｍである。中間部分１４の長さは、有効長さに対して比較的小さい割合であり、好ましくは、約３．５ｃｍ〜約１０ｃｍ、より好ましくは、約５ｃｍ〜約６．５ｃｍである。
【００２１】
カテーテル本体１２を中間部分１４に取り付けるための好適な手段が、図２に例示されている。中間部分１４の近位端部は、カテーテル本体１２の外壁２０の内面に受容される外周面ノッチ２４を含む。中間部分１４とカテーテル本体１２は、接着剤などで取り付けられている。
【００２２】
所望に応じて、スペーサ（不図示）を、強化チューブ２２が存在する場合はその遠位端部と中間部分１４の近位端部との間のカテーテル本体内に配置することができる。スペーサは、カテーテル本体１２と中間部分１４の接合部における柔軟性の移行部となり、この接合部が、折れたり捩じれたりしないでスムーズに曲がることができる。このようなスペーサを有するカテーテルは、参照して開示内容を本明細書に組み入れる米国特許第５，９６４，７５７号に開示されている。
【００２３】
図４Ａおよび図４Ｂを参照すると、中間部分１４の遠位端部に、先端部分２６が設けられている。好ましくは、先端部分２６は、チューブ１９の外径とほぼ同じ直径を有する。例示されている実施形態では、先端部分２６は、先端部電極２８、およびこの先端部電極２８の近位側の位置センサ７２を受容するプラスチックハウジングすなわち短いチューブ３５を有する。プラスチックハウジング３５の近位端部は、チューブ１９の遠位端部に形成された外周ノッチ２４（図３Ａおよび図３Ｂ）を受容しており、ポリウレタン接着剤などで結合されている。好ましくは、プラスチックハウジングは約１ｃｍの長さである。
【００２４】
先端部電極２８は、全体的に中実であるが、流路３８を有する。図示されている実施形態では、流路３８は、軸方向分岐路４７、およびこの軸方向分岐路の遠位端部から先端部電極２８の外面に向かって径方向に延びる複数の横方向分岐路４８を含む。流路の構造は、所望に応じて様々に変更できることを理解できよう。
【００２５】
先端部電極２８の近位端部に、盲孔３１が形成されている。この盲孔３１は、その位置が、プーラーワイヤ５０を受容している第２の内腔３２に概ね一致している。詳細は後述するが、先端部電極２８に接続されるプーラーワイヤの遠位端部およびリード線４０の遠位端部は共に、盲孔３１内に固定することができる。好適な先端部電極は、有効長さ、すなわちこの先端部電極の遠位端部からチューブ３５の遠位端部までの距離は約３．５ｍｍであり、実際の長さ、すなわちこの先端部電極の遠位端部から近位端部までの距離は約４．０ｍｍである。
【００２６】
先端部電極２８は、その近位端部に形成されたステム４１によってプラスチックハウジング３５に取り付けられている。このステム４１は、チューブ３５の遠位端部によって受容されている。ステム４１は、接着剤などで取り付けられている。プーラーワイヤ５０およびリード線４０は、先端部電極２８を先端部分２６の所定の位置に保持する役割を果たしている。
【００２７】
本発明に従えば、先端部分２６は、概ね同じ大きさを有し、同じ角度の間隔で配置された複数の細長い径方向電極３７ｉを有する。先端部分２６のチューブ３５に取り付けられている。各電極３７ｉは、並んで配置され、全体としてチューブ３５の周りを約３６０度に亘って取り囲んでいる。各径方向電極を近接する径方向電極から電気的に絶縁するために、各径方向電極間に長手方向のギャップが設けられている。このギャップは、例えばポリウレタンなどの非導電性材料４３で満たすことができる。したがって、電極３７ｉは、チューブのほぼ全周を覆っている。さらに、電極３７ｉの遠位端部が、先端部電極のすぐ近位側に位置するため、先端部分２６が非垂直角に位置する場合は、先端部電極２８と少なくとも１つの径方向電極３７ｉが、組織５４との概ね連続的な細長い接触面５３を形成する。図５に示されているように、径方向電極３７ｂは、先端部電極２８と共に、組織５４との大きな概ね連続的な接触面５３を形成して、大きな外傷５９を形成可能である。組織表面の形状によって異なるが、概ね連続的な接触面５３の大きさは、先端部分２６が組織表面５５に対して概ね垂直すなわち約９０度の場合に一般に最小となり、先端部分２８の組織表面５５に対する角度が大きくなるにつれて増大し、先端部分２６が組織表面５５に対して概ね平行、すなわち組織表面に延在して約０度の角度の場合に最大となる。
【００２８】
詳細は後述するが、本発明は、アブレーションの際に改善されたエネルギー効率が得られるように、組織との接触が最大な径方向電極（例えば、図５の電極３７ｂ）の選択的なエネルギー供給を可能にする。すなわち、組織と全くまたは殆ど接触していない径方向電極（例えば、図５の電極３７ａ、３７ｃ、および３７ｄ）にアブレーションエネルギーを供給しないで、エネルギーを慎重に供給して、周囲の血液へのエネルギー損失を最小限にする。本発明の特徴に従えば、ｎ個の径方向電極３７ａ〜３７ｎを設けることにより、各径方向電極が、カテーテルの先端部分の外周組織接触面の１／ｎ部分を占める。そして、唯１つの径方向電極（すなわち、組織との接触が最大な径方向電極）を介してアブレーションエネルギーを供給することにより、径方向電極の１／ｎの表面積は、当然、電流密度を増大させる。電流密度が高いため、低電力での使用が可能となり、カテーテル１０による効率が大幅に向上する。
【００２９】
図５に示されているように、特に先端部電極が組織に押圧されると、先端部電極は、その位置により、組織と概ね良好に接触する。したがって、開示されている実施形態では、先端部電極２８は、操作者によってアブレーションエネルギーが供給される場合は、常にアブレーションエネルギーを受け取り、この慎重な方法の影響を受けない。
【００３０】
さらに、径方向電極に選択的にエネルギーを供給することにより、先端部分２６は、加熱しにくくなるため、組織が、炭化および血栓などの過熱に関連したリスクの影響を受けにくくなる。
【００３１】
当分野の一般的な技術者であれば、径方向電極の個数は、様々にすることができ、各径方向電極が全体としてチューブ３５の周りを約３６０度に亘ってその外周面を覆えば、少なくとも２個〜約８個の範囲とすることができる。例示されている実施形態では、４つの四分円電極３７ａ〜３７ｄが設けられており、各電極は、概ね矩形であり、チューブ３５の周りを約９０度覆っている。各径方向電極の長さは、約４．０ｍｍ〜１０ｍｍとすることができ、好ましくは約８．０ｍｍである。当分野の一般的な技術者であれば、各径方向電極の幅は、カテーテルの先端部分の大きさおよび径方向電極の個数によって決まることを理解できよう。
【００３２】
中間部分１４のチューブ１９の遠位部分にリング電極５６を設けることもできる。例示されている実施形態では、径方向電極３７の近位側に３つのリング電極が設けられている。リング電極５６により、操作者が、カテーテル１０の先端部分３６から電気生理学的データを収集することができる。したがって、リング電極の存在およびその個数は、所望に応じて様々にすることができる。
【００３３】
先端部電極２８、径方向電極３７、およびリング電極５６は、あらゆる好適な材料、例えば機械加工されたプラチナイリジウム棒材（９０％プラチナ／１０％イリジウム）から形成することができる。
【００３４】
先端部電極２８、径方向電極３７、およびリング電極５６のそれぞれは、別個のリード線に接続されている。リード線４０、４２、および４４は、中間部分１４の第１の内腔３０、カテーテル本体１２の中心内腔１８、および制御ハンドル１６の中を通って、適当なモニタ（不図示）にプラグインできる入力ジャック（不図示）まで近位端部が延びている。カテーテル本体１２の中心内腔１８、制御ハンドル１６、および中間部分１４の中を通るリード線４０、４２、４４の部分は、ポリイミドが好ましいが、あらゆる好適な材料から形成できる非導電保護シース３９に覆われている。シース３９は、その遠位端部が、ポリウレタン接着剤などで第１の内腔３０内に接着されて中間部分１４の遠位端部に固定されている。例示されている実施形態では、２つのシース３９Ａおよび３９Ｂが設けられている。シース３９Ａは、先端部電極２８のリード線４０および径方向電極３７のリード線４２に用いられる。シース４９Ｂは、リング電極５６のリード線４４に用いられる。シース３９Ｂの遠位端部は、最も近位側のリング電極５６の近位側に位置する。シース３９Ａの遠位端部は、径方向電極３７の近位側に位置する。
【００３５】
リード線４２および４４は、あらゆる従来の技術によって径方向電極３７およびリング電極５６に取り付けられる。これらの電極の１つにリード線を接続するには、まずチューブ１９または３５を通る小さな孔を形成するのが好ましい。このような孔は、例えば、チューブに針を挿入して、永久的な孔が形成されるように針を十分に加熱して形成することができる。次に、リード線を、マイクロフックなどを用いて孔に通す。次に、リード線の両端の全てのコーティングを剥がして、電極の下側にハンダ付けまたは溶接する。次に、電極を孔の上に配置して（リング電極の場合は、孔の上の位置にスライドさせる）ポリウレタン接着剤などで所定の位置に固定する。
【００３６】
先端部分２６は、チューブ３５の内腔に結合された電磁位置センサ７２を有する。電磁センサケーブル７４が、この電磁位置センサの近位端部から、先端部分１４の第３の内腔３４およびカテーテル本体１２の中心内腔１８の中を通って制御ハンドル１６内に延びている。図１に示されているように、電磁センサケーブル７４が、制御ハンドル１６の近位端部から延出して、アンビルカルコード９８を介して、回路基板（不図示）を受容するセンサ制御モジュール７５まで延びている。別法では、回路基板は、例えば、参照して開示内容の全てを本明細書に組み入れる米国特許第５，９６４，７５７号に開示されているように、制御ハンドル１６内に受容することもできる。電磁センサケーブル７４は、プラスチックで覆われたシース内に封入された複数のワイヤを含む。センサ制御モジュール７５内で、電磁センサケーブル７４のワイヤが、回路基板に接続されている。回路基板は、電磁センサ７２から受けとった信号を増幅し、この信号を、図１に示されているようにセンサ制御モジュール７５の近位端部におけるセンサコネクタ７７によってコンピュータが理解できる形態でコンピュータに送信する。また、カテーテルが唯１回の使用用にデザインされているため、回路基板は、カテーテルの使用後約２４時間で回路基板をシャットダウンするＥＰＲＯＭチップを含むことができる。こうすることにより、カテーテル、または少なくとも電磁センサが、２回使用されることがない。本発明に使用するのに適した電磁センサは、参照して開示内容を本明細書に組み入れる米国特許第５，５５８，０９１号、同第５，４４３，４８９号、同第５，４８０，４２２号、同第５，５４６，９５１号、同第５，５６８，８０９号、および同第５，３９１，１９９号、ならびに国際公開第９５／０２９９５号に開示されている。好適な電磁マッピングセンサ７２は、長さが約６ｍｍ〜約７ｍｍであり、直径が約１．３ｍｍである。
【００３７】
再び図２を参照されたい。プーラーワイヤ５０は、カテーテル本体１２の中を通り、その近位端部が制御ハンドル１６（図６を参照）に固定され、その遠位端部が先端部電極２８（図４Ａを参照）に固定されている。プーラーワイヤは、ステンレス鋼やニチノールなどのあらゆる好適な材料から形成され、好ましくはテフロン（登録商標）.ＲＴＭ.などのコーティングを有する。このようなコーティングは、プーラーワイヤに滑性を付与する。プーラーワイヤは、約０．００６インチ（約０．１５２ｍｍ）から約０．０１０インチ（約０．２５４ｍｍ）の直径を有するのが好ましい。
【００３８】
圧縮コイル５２が、プーラーワイヤ５０を覆うようにカテーテル本体１２内に配置されている。圧縮コイル５２は、カテーテル本体１２の近位端部から中間部分１４の遠位端部に延びている。圧縮コイル５２は、好ましくはステンレス鋼であるあらゆる好適な金属から形成される。圧縮コイル５２は、可撓性すなわち曲げることができ、非圧縮性となるように緊密に巻かれている。圧縮コイルの内径は、好ましくは、プーラーワイヤ５０の直径よりもわずかに大きい。プーラーワイヤ５０に設けられたテフロン（登録商標）.ＲＴＭ.コーティングにより、プーラーワイヤ５０が圧縮コイル５２内を自由にスライドすることができる。所望に応じて、特に、リード線４０、４２、４４が保護シース３９によって覆われていない場合、圧縮コイルの外面を、例えばポリイミドチューブから形成される可撓性の非導電性シースによって覆い、カテーテル本体１２内の他のあらゆるワイヤと圧縮コイル５２との接触を防止することができる。
【００３９】
圧縮コイル５２は、その近位端部が、接着接合部５１によってカテーテル本体１２の強化チューブ２２の近位端部に固定され、その遠位端部が、接着接合部５７によって中間部分１４に固定されている。接着接合部５１および５７は共に、ポリウレタン接着剤などを含むのが好ましい。このような接着剤は、カテーテル本体１２の外面と中心内腔１８との間に形成された孔から注射器などによって注入することができる。このような孔は、例えば、針などをカテーテル本体１２の外壁２０および強化チューブ２２に刺入して、永久的な孔が形成されるように十分に加熱して形成することができる。次に、接着剤を、圧縮コイル５２の外面に孔から導入し、その外周面に行き渡らせて、圧縮コイル５２の全外周面の周りに接着接合部を形成する。
【００４０】
図４Ａに示されているように、プーラーワイヤ５０は、その遠位端部が、盲孔３１内で先端部電極に固定されている。プーラーワイヤ５０を先端部電極２８内に固定するための好適な方法では、金属チューブ４６をプーラーワイヤ５０の遠位端部に加締めて、金属チューブ４６を盲孔３１の内部でハンダ付けする。プーラーワイヤ５０を先端部電極２８内に固定することにより、さらなる支持が得られ、先端部電極２８が先端部分２６から脱落しにくくなる。別法では、プーラーワイヤ５０は、先端部分２６のチューブ３５に取り付けるか、または中間部分１４のチューブ１９の遠位部分に取り付けることができる。中間部分１４の第２の内腔３２内において、プーラーワイヤ５０が、好ましくはテフロン（登録商標）.ＲＴＭ.であるプラスチック製のシース５８の中を通っている。このシース５８は、中間部分１４が撓んだ時に、プーラーワイヤ５０がチューブ１９の壁部内に刺さるのを防止する。
【００４１】
中間部分１４を撓ませるカテーテル本体１２に対するプーラーワイヤ５０の長手方向の運動は、制御ハンドル１６の好適な操作によって行われる。図６に示されているように、制御ハンドル１６の遠位端部は、プーラーワイヤ５０を操作するためのつまみ６２を備えたピストン６０を含む。カテーテル本体１２の近位端部は、収縮スリーブ６４によってピストン６０に接続されている。
【００４２】
プーラーワイヤ５０、リード線４０、４２、４４、およびセンサケーブル７４は、ピストン６０の中を通っている。プーラーワイヤ５０は、ピストン６０の近位側に位置する固定ピン６６に固定されている。ピストン６０の内部において、センサケーブル７４は、好ましくはポリウレタンから形成される別の保護シース９１の中を通っている。保護シース３９Ａ、３９Ｂ、および９１は、接着接合部６３で、好ましくはポリウレタン接着剤などによってピストン６０に固定し、リード線４０、４２、４４、およびセンサケーブル７４が制御ハンドル１６内を長手方向に移動できるようにして、ピストン６０がプーラーワイヤ５０を操作するために調節された場合に、リード線４０、４２、４４、およびセンサケーブル７４が破損しないようにする。プーラーワイヤが接着接合部６３の近傍で長手方向に移動できるように、ピストン６０の内部で、プーラーワイヤ５０が、好ましくはポリイミドチューブである移送チューブ２７の中を通っている。
【００４３】
制御ハンドルの機構および作動は、参照して開示内容の全てを本明細書に組み入れる米国特許題６，６０２，２４２号に開示されている。当分野の通常の技術者であれば、１本のプーラーワイヤまたは複数のプーラーワイヤ（２方向に撓ませる場合）を操作するための他の制御ハンドルを本発明に用いることができることを理解できよう。
【００４４】
図７は、カテーテル１０を用いて、インピーダンスの測定値に基づいてシステムによって決定される組織との接触が最大な径方向電極に選択的にエネルギーを供給してアブレーションするためのシステム１００を例示している。径方向電極３７ｉはそれぞれ、別個のリード先端側４２ｉによってカテーテルのハンドル１６に接続されている。このカテーテルハンドル１６から、システム１００に電気的に接続されている。信号生成器１０２が、約１０ｋＨｚ〜約１００ｋＨｚ、好ましくは約５０ｋＨｚの高周波数範囲の約２μＡの、例えば交流（ＡＣ）信号である高周波数試験信号を、高出力インピーダンスバッファ１０６を介してマルチプレクサー１０４に送る。マルチプレクサー１０４は、複数のチャネル１０８ｉを有する。各チャネル１０８ｉは、同じ電流を受け取るように特定の径方向電極３７ｉに接続されている。
【００４５】
戻り電極１１０も、信号生成器１０２によって駆動される。戻り電極１１０への信号は、まずインバータ１１２によって位相が反転され、高出力インピーダンスバッファ１１４によって調整される。
【００４６】
本発明の特徴に従えば、システム１００は、各径方向電極の組織との接触の程度を示唆する各径方向電極のインピーダンスを測定するために、インピーダンス測定回路１１５を提供する。インピーダンス測定値が最も高い径方向電極のみにエネルギーを供給することにより、選択された径方向電極および先端部電極が、先端部電極だけよりも大きい組織との接触面積を形成し、アブレーションエネルギーが、組織と全くまたは殆ど接触していない他の径方向電極で浪費されない。インピーダンス測定回路１１５は、差動増幅器１１６、増幅器１１８、および同期検出器１２０を含む。差動増幅器１１６は、具体的には、選択された径方向電極３７ｉおよび戻り電極１１０の前後の電圧である差分信号を測定する。この差分信号は、増幅器１１８によってさらに増幅される。増幅器１１８の出力は、同期検出器１２０に送られ、この同期検出器１２０が、ＡＣ信号を直流（ＤＣ）信号に変換し、外部のノイズに対するシステム１００の感度を低下させる。次に、マイクロコントローラ１２２が、同期検出器１２０からの信号を用いてマルチプレクサー１０４を制御する。このため、マイクロコントローラは、少なくともカテーテル１０における複数の径方向電極３７ｉであるマルチプレクサー１０４の複数のチャネル１０８ｉを等しくする同期検出器１２０からの複数の異なるインピーダンス信号を、記憶されている各インピーダンス値に関連したチャネル１０８ｉにおける識別信号と共に、メモリ１２４に連続的に記憶する。したがって、マイクロコントローラ１２２は、組織との接触が最大な径方向電極３７ｉのはずであるインピーダンス値が最も高いチャネル１０８ｉ（従って径方向電極３７ｉ）を常に識別することができる。
【００４７】
図７のフローチャートを参照すると、マイクロコントローラ１２２によって実行されるシステム１００の動作を以下に説明する。蛍光透視ガイドまたは他の好適なガイド手段の下で、カテーテルを患者の体内に導入する。カテーテルを、適当な血管から患者の心臓内に送り、心室内に配置する。システム１００およびマイクロコントローラ１２２の電源を入れる（ブロック１３０）。マイクロコントローラ１２２が、信号生成器を起動し、マルチプレクサーにコマンドを出して、このマルチプレクサーがスイッチモードで作動するようにする（ブロック１３２）。マルチプレクサーは、チャネル１０８ｉ間で常に切り替え、信号生成器１０２からのインピーダンス試験信号が、常にただ１つの径方向電極３７ｉに流れるようにする（ブロック１３４）。インピーダンス測定回路１１５は、マルチプレクサー１０８が、異なるチャネル１０８ｉ間での切り替えの際に各径方向電極３７ｉのインピーダンスを測定し（ブロック１３６）、このインピーダンス測定値が、各径方向電極の新しいインピーダンス測定値で常に更新されるメモリに記憶される。
【００４８】
カテーテルの操作者が、アブレーションの準備ができて、押し込み起動接点（push-to-activate contact）１２９（図７）などの入力をトリガーすると（問合わせ１３８）、この押し込み起動接１２９が、マイクロコントローラ１２２に信号を送り、このマイクロコントローラ１２２がメモリ１２４にアクセスし、インピーダンス値が最も高いチャネル１０８を特定する（ブロック１４０）。２つ以上の径方向電極が同じ最大インピーダンス測定値を有する場合（ブロック１４１）、マイクロコントローラ１２２は、最も高いインピーダンス測定値の最も新しい径方向電極を選択する（ブロック１４２）。いずれの場合も、次に、マイクロコントローラ１２２が、マルチプレクサー１０４にコマンドを出して、このマルチプレクサー１０４が、ロック（または静止）モードに切り替え、アブレーション処置の間、マルチプレクサーの接続を特定されたチャネルに維持する（ブロック１４３）。
【００４９】
次に、マイクロコントローラ１２２は、アブレーション電源１２６およびスイッチ１２８を使用可能にする（ブロック１４４）。スイッチ１２８は、先端部電極２８にエネルギーを供給し、リード線がマルチプレクサー１０４から電流を受け取っている選択された径方向電極にアブレーション電流を流すことができる（ブロック１４６）。先端部電極２８と選択された径方向電極３７ｉを合わせた接触面が、改善されたエネルギー効率でより大きな外傷を形成する。なぜなら、アブレーション電流が、先端部電極２８と、組織との接触が最大の唯１つの径方向電極３７ｉに流れるためである。
【００５０】
操作者は、アブレーション処置を完了して、ボタンまたはスイッチを解除すると、マイクロコントローラ１２２が、アブレーション電源１２６およびスイッチ１２８を切り（ブロック１５０）、マルチプレクサー１０４をスイッチモードの動作に戻す（ブロック１３２）。したがって、マルチプレクサー１０４が、そのチャネル１０８間で常に切り替える状態に戻り、信号生成器１０２からの試験信号が、異なるチャネルを介して各径方向電極３７ｉに送られる。マイクロコントローラ１２２は、インピーダンス測定回路１１５からの各径方向電極３７ｉのインピーダンス信号を受け取る状態に戻り、インピーダンス値が、記憶されているインピーダンス値のそれぞれに関連したチャネルの識別情報と共に、常にメモリ１２４に記憶され、リフレッシュされる。
【００５１】
上記説明は、本発明の現在好適な実施形態を参照して行った。本発明が属する分野および技術における技術者であれば、記載した構造に対する改良および変更を、本発明の原理、概念、および範囲から著しく逸脱することなく実施できることを理解できよう。したがって、上記説明は、添付の図面に例示した正確な構造に限定されると解釈されるべきものではなく、むしろ、本発明の完全で公正な範囲を規定する添付の特許請求の範囲に一致すると解釈されるべきものである。
【００５２】
〔実施の態様〕
（１）カテーテル上の電極に選択的にエネルギーを供給するためのシステムにおいて、
カテーテル本体、ならびに、先端部電極および複数の径方向電極を有する先端部分、を有するカテーテルと、
戻り電極と、
インピーダンス試験信号を生成する信号生成器と、
前記信号生成器と特定の径方向電極との間の電気的な接続を常に変更する第１のモード、および前記信号生成器を選択された径方向電極に接続する第２のモードで作動するように構成されたマルチプレクサーと、
組織との接触を示唆する各径方向電極のインピーダンス測定値を生成するように構成されたインピーダンス測定回路と、
前記マルチプレクサーが前記第１のモードまたは前記第２のモードで作動するように、前記マルチプレクサーにコマンドを出すように構成されたマイクロコントローラと、
前記先端部電極および前記選択された径方向電極にエネルギーを供給するように構成されたアブレーションエネルギー源と、
を含む、システム。
（２）実施態様（１）に記載のシステムにおいて、
選択されていない径方向電極を除いた、前記選択された径方向電極にアブレーションエネルギーを供給するように構成されたアブレーション電源、
をさらに含む、システム。
（３）実施態様（１）に記載のシステムにおいて、
前記マイクロコントローラは、前記選択された径方向電極を識別するように構成されている、システム。
（４）実施態様（１）に記載のシステムにおいて、
前記マイクロコントローラは、前記インピーダンス測定値に基づいて、前記選択された径方向電極を識別するようにさらに構成されている、システム。
（５）実施態様（１）に記載のシステムにおいて、
各前記径方向電極は、前記先端部電極と共に、特定の概ね連続した細長い組織接触面を形成するように構成されている、システム。
【００５３】
（６）実施態様（１）に記載のシステムにおいて、
前記複数の径方向電極は、４個である、システム。
（７）実施態様（１）に記載のシステムにおいて、
前記選択された径方向電極は、最大のインピーダンス測定値を有する、システム。
（８）実施態様（１）に記載のシステムにおいて、
前記先端部電極および前記選択された径方向電極は、アブレーション電流を受け取る、システム。
（９）実施態様（１）に記載のシステムにおいて、
複数の前記径方向電極は、概ね等しい大きさである、システム。
（１０）実施態様（１）に記載のシステムにおいて、
前記径方向電極は、前記先端部分の周りに概ね同じ角度で設けられている、システム。
【００５４】
（１１）実施態様（１）に記載のシステムにおいて、
前記インピーダンス測定値を記憶するメモリ、
をさらに含む、システム。
（１２）実施態様（１）に記載のシステムにおいて、
前記インピーダンス測定回路は、差動増幅器および同期検出器を含む、システム。
（１３）実施態様（１２）に記載のシステムにおいて、
前記インピーダンス測定回路は、増幅器をさらに含む、システム。
（１４）実施態様（１１）に記載のシステムにおいて、
前記メモリは、新しいインピーダンス測定値で常にリフレッシュされる、システム。
（１５）実施態様（１）に記載のシステムにおいて、
前記インピーダンス試験信号は、約１０ｋＨｚ〜約１００ｋＨｚの範囲の周波数の交流電流を含む、システム。
【００５５】
（１６）実施態様（１）に記載のシステムにおいて、
前記インピーダンス試験信号は、約５０ｋＨｚの周波数の交流電流を含む、システム。
（１７）実施態様（１）に記載のシステムにおいて、
前記径方向電極は、前記先端部電極のすぐ近位側に位置する、システム。
（１８）実施態様（１）に記載のシステムにおいて、
前記カテーテルは、前記先端部分で潅流を行えるように構成されている、システム。
（１９）実施態様（１）に記載のシステムにおいて、
前記カテーテルは、前記先端部分に電磁位置センサを有する、システム。
（２０）実施態様（１）に記載のシステムにおいて、
前記カテーテルは、前記径方向電極の近位側に少なくとも１つのリング電極を有する、システム。
【００５６】
（２１）実施態様（１）に記載のシステムにおいて、
前記複数の径方向電極の個数は、約２個〜約８個の範囲である、システム。
（２２）カテーテル電極に選択的にエネルギーを供給する方法において、
カテーテル本体、ならびに、先端部電極およびこの先端部電極の近位側の複数の径方向電極を備えた先端部分、を含むカテーテルを用意するステップと、
戻り電極を用意するステップと、
インピーダンス試験信号を生成するように構成された信号生成器を用意するステップと、
前記信号発生器と特定の径方向電極との間の電気的な接続を切り替えるステップと、
各前記径方向電極がインピーダンス試験信号を受け取っている時に、各前記径方向電極の組織との接触を示唆するインピーダンス測定値を得るステップと、
インピーダンス測定値が最も高い径方向電極を特定するステップと、
残りの径方向電極を除いて、前記インピーダンス測定値が最も高い径方向電極と前記信号生成器との間の電気的な接続を維持するステップと、
選択されなかった径方向電極を除いて、前記インピーダンス値が最も高い径方向電極にアブレーションエネルギーを供給するステップと、
を含む、方法。
（２３）実施態様（２２）に記載の方法において、
アブレーション処置の間、前記信号発生器と前記インピーダンス測定値が最も高い径方向電極との間の電気的な接続を維持する、方法。
（２４）アブレーションカテーテル上の電極にエネルギーを選択的に供給するためのシステムにおいて、
カテーテル本体を有するカテーテルであって、先端部電極および当該先端部電極の近位側の複数の径方向電極を有する先端部分を有する、前記カテーテルと、
戻り電極と、
インピーダンス試験信号を生成する信号生成器と、
前記信号発生器と特定の径方向電極との間の電気的な接続を常に変更する第１のモード、および前記信号発生器を選択された径方向電極に接続する第２のモードで作動するように構成されたマルチプレクサーと、
前記マルチプレクサーが前記第１のモードで作動している場合に、組織との接触を表す各径方向電極のインピーダンス測定値を供給するように構成されたインピーダンス測定回路と、
前記マルチプレクサーが前記第１のモードまたは前記第２のモードで作動するように、前記マルチプレクサーにコマンドを出すように構成されたマイクロコントローラと、
前記インピーダンス測定値を記憶するように構成されたメモリと、
前記先端部電極および前記選択された径方向電極にエネルギーを供給するように構成されたアブレーションエネルギー源と、
前記アブレーションエネルギーを前記選択された径方向電極に接続するように構成されたスイッチと、
を含む、システム。
（２５）実施態様（２４）に記載のシステムにおいて、
前記メモリは、前記記憶されたインピーダンス測定値に関連した径方向電極識別データを記憶するようにさらに構成されている、システム。
【００５７】
（２６）実施態様（２４）に記載のシステムにおいて、
前記メモリは、新しいインピーダンス測定値でリフレッシュされる、システム。
（２７）カテーテル電極に選択的にエネルギーを供給する方法において、
カテーテル本体、ならびに、先端部電極および当該先端部電極の近位側の複数の径方向電極を備えた先端部分、を含むカテーテルを用意するステップと、
戻り電極を用意するステップと、
インピーダンス試験信号を生成するように構成された信号生成器を用意するステップと、
前記信号発生器から特定の径方向電極への電気的な接続を変更するステップと、
各前記径方向電極がインピーダンス試験信号を受け取っている時に、各前記径方向電極の組織との接触を示唆するインピーダンス測定値を得るステップと、
前記インピーダンス測定値に関連した径方向電極識別データおよび前記インピーダンス測定値を記憶するステップと、
インピーダンス測定値が最も高い径方向電極を特定するステップと、
残りの径方向電極を除いて、前記インピーダンス測定値が最も高い径方向電極と前記信号生成器との間の電気的な接続を維持するステップと、
選択されなかった径方向電極を除いて、前記インピーダンス値が最も高い径方向電極および前記先端部電極にアブレーションエネルギーを供給するステップと、
を含む、方法。
（２８）アブレーションカテーテルにおいて、
外壁、近位端部、および遠位端部、を有するカテーテル本体であって、当該カテーテル本体の中を通る１つの中心内腔を有する、前記カテーテル本体と、
前記カテーテル本体の前記近位端部に設けられた制御ハンドルと、
近位端部および遠位端部を有する可撓性チューブのセグメントを含む先端部分であって、前記可撓性チューブは、当該可撓性チューブの中を通る少なくとも１つの内腔を有し、前記先端部分の近位端部が、前記カテーテル本体の前記遠位部分に固着されている、前記先端部分と、
前記先端部分の前記チューブの前記遠位端部に固着された先端部電極と、
前記先端部電極のすぐ近位側の前記チューブに固着された複数の径方向電極であって、これらの各径方向電極が、前記先端部電極と共に、特定の概ね連続した組織接触面を形成するように構成されている、前記複数の径方向電極と、
を含む、アブレーションカテーテル。
（２９）実施態様（２８）に記載のアブレーションカテーテルにおいて、
前記先端部電極は、前記先端部分の内腔に連通した少なくとも１つの流路を含み、
前記流路は、少なくとも１つの横方向流路を含むか、または前記先端部電極の相互連結孔によって形成されている、
アブレーションカテーテル。
（３０）実施態様（２９）に記載のアブレーションカテーテルにおいて、
近位端部および遠位端部を有する注入チューブ、
をさらに含み、
前記注入チューブは、前記カテーテル本体の前記中心内腔および前記先端部分の内腔の中を通り、この注入チューブの遠位端部が、前記先端部電極の前記流路の前記近位端部に固定されており、これにより、流体が、前記注入チューブを通って、前記先端部電極の前記流路に入り、前記先端部電極を介して、前記先端部電極の外面に流れることができる、
アブレーションカテーテル。
【００５８】
（３１）実施態様（２８）に記載のアブレーションカテーテルにおいて、
前記制御ハンドルの操作によって前記先端部分を撓ませるための手段、
をさらに含む、アブレーションカテーテル。
（３２）カテーテル上の電極に選択的にエネルギーを供給するためのシステムにおいて、
カテーテル本体、ならびに、先端部電極および複数の径方向電極を有する先端部分、を有するカテーテルと、
戻り電極と、
インピーダンス試験信号を生成するための手段と、
第１のモードで、前記信号生成器と特定の径方向電極との間の電気的な接続を変更し、第２のモードで、前記信号生成器を選択された径方向電極に接続するための手段と、
組織との接触を示唆する各径方向電極のインピーダンスを測定するための手段と、
前記第１のモードまたは前記第２のモードで作動するように変更するための手段を制御するための手段と、
アブレーションエネルギーを用いて、前記先端部電極および前記選択された径方向電極にエネルギーを供給するための手段と、
を含む、システム。
【図面の簡単な説明】
【００５９】
【図１】本発明に従ったカテーテルの実施形態の側面図である。
【図２】第１の直径に沿って切り取られた、カテーテル本体および中間部分の実施形態の側断面図である。
【図２Ａ】第１の直径に対して概ね垂直な第２の直径に沿って切り取られた、図２のカテーテル本体および中間部分の側断面図である。
【図３Ａ】第１の直径に沿って切り取られた、中間部分および先端部分の実施形態の側断面図である。
【図３Ｂ】第１の直径に対して概ね垂直な第２の直径に沿って切り取られた、図３Ａの中間部分および先端部分の側断面図である。
【図３Ｃ】図３Ａの線３Ｃ‐３Ｃに沿って切り取られた、中間部分の長手方向の断面図である。
【図４Ａ】先端部分の実施形態の側断面図である。
【図４Ｂ】図４Ａの線４Ｂ‐４Ｂに沿って切り取られた、先端部分の長手方向の断面図である。
【図５】アブレーションして外傷を形成するために組織に接触している本発明のカテーテルの実施形態の模式的な斜視図である。
【図６】制御ハンドルの実施形態の側断面図である。
【図７】本発明に従ったカテーテル電極に選択的にエネルギーを供給するためのシステムの実施形態の模式的な線図である。
【図８】本発明に従ったカテーテル電極に選択的にエネルギーを供給する方法を模式的に例示するフローチャートである。
【図１】
0005117045.tif 000002
【図２】
0005117045.tif 000003
【図２Ａ】
0005117045.tif 000004
【図３Ａ】
0005117045.tif 000005
【図３Ｂ】
0005117045.tif 000006
【図３Ｃ】
0005117045.tif 000007
【図４Ａ】
0005117045.tif 000008
【図４Ｂ】
0005117045.tif 000009
【図５】
0005117045.tif 000010
【図６】
0005117045.tif 000011
【図７】
0005117045.tif 000012
【図８】
0005117045.tif 000013